(57)【要約】【課題】    本考案の目的は、寒冷地で鹿対策に好適な防獣ネットを提供するものである。【解決手段】    防獣ネットＮは、ポリプロピレン系を除く、ポリオレフィン系の繊維で構成した防獣ネットＮであって、この防獣ネットＮの目合いの大きさは、２５ｍｍ〜４５ｍｍの目合いの大きさに形成されているものである。【選択図】図１
0003192209.tif 000002
【実用新案登録請求の範囲】
【請求項１】
ポリプロピレン系を除く、ポリオレフィン系の繊維で構成した防獣ネットであって、
この防獣ネットの目合いの大きさを、２５ｍｍ〜４５ｍｍの目合いの大きさに形成した
ことを特徴とする防獣ネット。
【請求項２】
ポリプロピレン系を除く、ポリオレフィン系の繊維で構成した防獣ネットであって、
この防獣ネットの目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上である
ことを特徴とする防獣ネット。
【請求項３】
既設のネット、ワイヤー、フェンス等の防獣柵の高さ方向に嵩上げする防獣ネットであって、
前記既設の防獣柵は、地面に立設する既設の支柱に支えられ、
前記嵩上げする防獣ネットは、既設の支柱に接続された新設の支柱に支えられ、
前記嵩上げする防獣ネットは、ポリプロピレン系を除く、ポリオレフィン系の繊維で構成され、
前記嵩上げする防獣ネットの目合いの大きさは、２５ｍｍ〜４５ｍｍの目合いの大きさに形成され、
前記新設の支柱は、前記地面から離間している
ことを特徴とする防獣ネット。
【請求項４】
既設のネット、ワイヤー、フェンス等の防獣柵の高さ方向に嵩上げする防獣ネットであって、
前記既設の防獣柵は、地面に立設する既設の支柱に支えられ、
前記嵩上げする防獣ネットは、地面に立設する新設の支柱に支えられ、
前記嵩上げする防獣ネットは、ポリプロピレン系を除く、ポリオレフィン系の繊維で構成され、
前記嵩上げする防獣ネットの目合いの大きさは、２５ｍｍ〜４５ｍｍの目合いの大きさに形成され、
前記新設の支柱に張られる前記防獣ネットは、前記既設の防獣柵に隣接し、
正面視で、前記既設の防獣柵の上方部分の柵と前記嵩上げする防獣ネットの下方部分のネットとが重なっている
ことを特徴とする防獣ネット。
【請求項５】
既設のネット、ワイヤー、フェンス等の防獣柵の高さ方向に嵩上げする防獣ネットであって、
前記既設の防獣柵は、地面に立設する既設の支柱に支えられ、
前記嵩上げする防獣ネットは、地面に立設する新設の支柱に支えられ、
前記嵩上げする防獣ネットは、ポリプロピレン系を除く、ポリオレフィン系の繊維で構成され、
前記嵩上げする防獣ネットの目合いの大きさは、２５ｍｍ〜４５ｍｍの目合いの大きさに形成され、
前記新設の支柱に張られる前記防獣ネットは、前記既設の防獣柵に隣接し、
正面視で、前記既設の防獣柵の柵の上方部分と前記嵩上げする防獣ネットのネットの下方部分とが略同じ位置である
ことを特徴とする防獣ネット。
【請求項６】
防獣ネットは、寒冷地向けのシカ対策用である
ことを特徴とする請求項１〜５のいずれかに記載の防獣ネット。
【考案の詳細な説明】
【技術分野】
【０００１】
本考案は、防獣ネットに係り、特に、寒冷地で小動物、例えば、シカ対策に好適な防獣ネットに関する。
【背景技術】
【０００２】
シカをはじめとする中型動物、うさぎ、ハクビシン等の小動物の侵入を防止するものとして、防獣ネットがある。
この防獣ネットは、例えば、シカの噛切りを防止するために、ステンレス線が編みこまれていた。
【考案の概要】
【考案が解決しようとする課題】
【０００３】
ところが、上記防獣ネットにあっては、金属入り繊維の目合いの大きさが７０ｍｍであるため、現地実験によれば、網の中にシカの顎が入り奥歯によって網がかみ切られていた。その上、金属入り繊維は重く、山間地等の設置も困難で、コストもかかるという問題点があった。
【０００４】
本考案は、上記の問題点を考慮してなされた防獣ネットを提供することを目的とする。
【課題を解決するための手段】
【０００５】
請求項１記載の防獣ネットは、ポリプロピレン系を除く、ポリオレフィン系の繊維で構成した防獣ネットであって、この防獣ネットの目合いの大きさを、２５ｍｍ〜４５ｍｍの目合いの大きさに形成したものである。
【０００６】
また、請求項２記載の防獣ネットは、ポリプロピレン系を除く、ポリオレフィン系の繊維で構成した防獣ネットであって、この防獣ネットの目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上である。
【０００７】
また、請求項３記載の防獣ネットは、既設のネット、ワイヤー、フェンス等の防獣柵の高さ方向に嵩上げする防獣ネットであって、前記既設の防獣柵は、地面に立設する既設の支柱に支えられ、前記嵩上げする防獣ネットは、既設の支柱に接続された新設の支柱に支えられ、前記嵩上げする防獣ネットは、ポリプロピレン系を除く、ポリオレフィン系の繊維で構成され、前記嵩上げする防獣ネットの目合いの大きさは、２５ｍｍ〜４５ｍｍの目合いの大きさに形成され、前記新設の支柱は、前記地面から離間しているものである。
【０００８】
また、請求項４記載の防獣ネットは、既設のネット、ワイヤー、フェンス等の防獣柵の高さ方向に嵩上げする防獣ネットであって、前記既設の防獣柵は、地面に立設する既設の支柱に支えられ、前記嵩上げする防獣ネットは、地面に立設する新設の支柱に支えられ、前記嵩上げする防獣ネットは、ポリプロピレン系を除く、ポリオレフィン系の繊維で構成され、前記嵩上げする防獣ネットの目合いの大きさは、２５ｍｍ〜４５ｍｍの目合いの大きさに形成され、前記新設の支柱に張られる前記防獣ネットは、前記既設の防獣柵に隣接し、正面視で、前記既設の防獣柵の上方部分の柵と前記嵩上げする防獣ネットの下方部分のネットとが重なっているものである。
【０００９】
また、請求項５記載の防獣ネットは、既設のネット、ワイヤー、フェンス等の防獣柵の高さ方向に嵩上げする防獣ネットであって、前記既設の防獣柵は、地面に立設する既設の支柱に支えられ、前記嵩上げする防獣ネットは、地面に立設する新設の支柱に支えられ、前記嵩上げする防獣ネットは、ポリプロピレン系を除く、ポリオレフィン系の繊維で構成され、前記嵩上げする防獣ネットの目合いの大きさは、２５ｍｍ〜４５ｍｍの目合いの大きさに形成され、前記新設の支柱に張られる前記防獣ネットは、前記既設の防獣柵に隣接し、正面視で、前記既設の防獣柵の柵の上方部分と前記嵩上げする防獣ネットのネットの下方部分とが略同じ位置である。
【００１０】
また、請求項６記載の防獣ネットは、請求項１〜５のいずれかに記載の防獣ネットにおいて、防獣ネットは、寒冷地向けの鹿対策用である。
【考案の効果】
【００１１】
請求項１記載の防獣ネットによれば、防獣ネットを構成する繊維をポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、しかも、素材も金属入り繊維に比べ、重量が軽く設置も容易で、コストも安く、寒冷地の防獣ネットに好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができる。
【００１２】
また、請求項２記載の防獣ネットによれば、防獣ネットを構成する繊維をポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、しかも、素材も金属入り繊維に比べ、重量が軽く設置も容易で、コストも安く、寒冷地の防獣ネットに好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができる。
また、繊維の引張強さが、旧ＪＩＳ  Ｌ  １０４３  合成繊維漁網用網地試験方法に規定する１節２脚法の引張強さの１／２の強さで９００Ｎ以上であるため、突進してくる小動物の衝撃にも対応することができる。
【００１３】
また、請求項３記載の防獣ネットによれば、既設のネット、ワイヤー、フェンス等の防獣柵の高さ方向に嵩上げする防獣ネットの新設の支柱は、地面に立設することなく、既設の支柱を利用して既設の支柱に新設の支柱を接続することができ、容易に設置することができ、しかも、嵩上げする防獣ネットは、防獣ネットを構成する繊維を、ポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、更に、素材も金属入り繊維に比べ、重量が軽く新設の支柱への設置も容易で、コストも安く、寒冷地の防獣ネットに好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができる。
【００１４】
また、請求項４記載の防獣ネットによれば、新設の支柱に張られる嵩上げする防獣ネットは、防獣ネットを構成する繊維を、ポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、更に、素材も金属入り繊維に比べ、重量が軽く新設の支柱への設置も容易で、コストも安く、寒冷地の防獣ネットに好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができる。
【００１５】
また、請求項５記載の防獣ネットによれば、新設の支柱に張られる嵩上げする防獣ネットは、防獣ネットを構成する繊維を、ポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、更に、素材も金属入り繊維に比べ、重量が軽く新設の支柱への設置も容易で、コストも安く、寒冷地の防獣ネットに好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができ、
しかも、正面視で、既設の防獣柵の柵の上方部分と嵩上げする防獣ネットのネットの下方部分とが略同じ位置であるため、正面視での既設の防獣柵の上方部分の柵と嵩上げする防獣ネットの下方部分のネットとの重なりの量を少なくして、防獣ネットを効率良く張ることができる。
【図面の簡単な説明】
【００１６】
【図１】図１は、本考案の一実施例の防獣ネットの概略的正面図である。
【図２】図２は、図１の概略的左側面図である。
【図３】図３は、図１と異なる他の実施例の防獣ネットの概略的正面図である。
【図４】図４は、図３の概略的左側面図である。
【図５】図５は、図３と異なる他の実施例の防獣ネットの概略的正面図である。
【図６】図６は、図５の概略的左側面図である。
【図７】図７は、図５と異なる他の実施例の防獣ネットの概略的正面図である。
【図８】図８は、図７の概略的左側面図である。
【図９】図９は、図７と異なる他の実施例の防獣ネットの概略的正面図である。
【図１０】図１０は、図９の概略的左側面図である。
【図１１】図１１は、図９と異なる他の実施例の防獣ネットの概略的正面図である。
【図１２】図１２は、図１１の概略的左側面図である。
【図１３】図１３は、図１１と異なる他の実施例の防獣ネットの概略的正面図である。
【図１４】図１４は、図１３の概略的左側面図である。
【図１５】図１５は、図１３と異なる他の実施例の防獣ネットの概略的正面図である。
【図１６】図１６は、図１５の概略的左側面図である。
【図１７】図１７は、図１５と異なる他の実施例の防獣ネットの概略的正面図である。
【図１８】図１８は、図１７の概略的左側面図である。
【考案を実施するための形態】
【００１７】
本考案の一実施例の防獣ネットを図面を参照して説明する。
図１及び図２に示すＮは防獣ネットで、防獣ネットＮは、例えば、既設のネット、ワイヤー、フェンス等の防獣柵Ｎ１と、この既設の防獣柵Ｎ１の高さ方向に嵩上げする防獣ネットＮ２とを有する。
なお、既設の防獣柵Ｎ１は、例えば、寒冷地の高速道路等の近傍に設置され、高速道路等にシカをはじめとする中型動物、うさぎ、ハクビシン等の小動物が侵入するのを防止している。
【００１８】
既設の防獣柵Ｎ１は、地面Ｇに立設する既設の支柱１に支えられ、嵩上げする防獣ネットＮ２は、既設の支柱１に接続された新設の支柱２に支えられている。
新設の支柱２は、接続部材３によって既設の支柱１に接続され、新設の支柱２は、地面Ｇから離間している。
【００１９】
既設の防獣柵Ｎ１のネットの高さｈは、約０．５ｍ〜約１．５ｍで、シカをはじめとする中型動物、うさぎ、ハクビシン等の小動物の侵入を防止するものである。
既設の防獣柵Ｎ１の高さ方向に嵩上げする防獣ネットＮ２のネットの高さＨは、約０．５ｍ〜約１．５ｍである。
既設の防獣柵Ｎ１の高さ方向に防獣ネットＮ２を嵩上げするのは、寒冷地においては、積雪により地面Ｇが嵩上げされ、既設の防獣柵Ｎ１の柵の高さでは、上述の動物の進入を阻止できず、これに対応するためである。
【００２０】
嵩上げする防獣ネットＮ２は、ポリプロピレン系を除く、ポリオレフィン系の繊維で構成され、例えば、ポリエチレン、超高分子量ポリエチレン（例えば、商品名ダイニーマ）である。ポリプロピレン系が除かれたのは、ポリプロピレンは、ガラスのように脆くなる所謂ガラス転移温度が０℃と高いからである。ポリエチレンのガラス転移温度は、−１２０℃とポリプロピレンに比べかなり低いものとなっている。
そして、嵩上げする防獣ネットＮ２の目合いの大きさは、２５ｍｍ〜４５ｍｍの目合いの大きさに形成されている。
【００２１】
目合いの大きさが４５ｍｍを超えると、例えば、従来、ステンレス線が編みこまれたものであっても、目合いの大きさが７０ｍｍ程度のものでも、特に、シカにあっては、網の中に顎が入り奥歯によって網がかみ切られていた。
これを防ぐために、目合いの大きさの上限値を４５ｍｍとし、シカの噛みつきによる網の切断を防止することができる。
【００２２】
また、嵩上げする防獣ネットＮ２の繊維の引張強さは、旧ＪＩＳ  Ｌ  １０４３  合成繊維漁網用網地試験方法に規定する１節２脚法の引張強さの１／２の強さで９００Ｎ以上である。９００Ｎ以上とした根拠は、次の理由による。
シカの雄の体重を１４０ｋｇ、突進による衝撃を体重の５０％、三目（糸４本）で受けるものとすれば、
載荷重＝１４０ｋ×（１＋０．５）＝２１０ｋｇ＝２０６０Ｎ
必要強度＝２０６０Ｎ÷４本＝５１５Ｎ／本
１０年後まで必要強度を維持するために６０％以上の強度保持率が必要とすれば、
５１５Ｎ／６＝８５９＝９００Ｎ
上記を実現させるために、以下の糸を使用する。
原糸強度        ６．０ｃＮ／ｄｅｘ以上
原糸伸度        １０％〜２５％以上
ＵＶ剤含有率    １．２５％以上
また、ネットの編み方は、有結節網、ラッセル網は、重量の増加、強度利用率が高いことにより、無結節網地で編網するのが良い。
無結節網地は解れ易いため、ネットの周囲は、オーバーロックミシン加工が良い。
なお、正面視で、既設の防獣柵Ｎ１の上方部分の柵と嵩上げする防獣ネットＮ２の下方部分のネットとが重なっているが、重なりの程度は、図１記載に限らず、適宜の量であり、望ましくは、重なりの量（重なりの寸法）は、少ない方が良い。
【００２３】
従って、上述した防獣ネットＮによれば、既設の防獣柵Ｎ１の高さ方向に嵩上げする防獣ネットＮ２の新設の支柱２は、地面Ｇに立設することなく、既設の支柱１を利用して既設の支柱１に新設の支柱２を接続することができ、容易に設置することができ、しかも、嵩上げする防獣ネットＮ２は、防獣ネットＮ２を構成する繊維を、ポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、更に、素材も金属入り繊維に比べ、重量が軽く新設の支柱への設置も容易で、コストも安く、寒冷地の防獣ネットＮ（特に、シカ対策用）に好適である。
【００２４】
なお、上述した防獣ネットＮ（図１及び図２）においては、正面視で前方に既設の防獣柵Ｎ１、後方に嵩上げする防獣ネットＮ２を設けたが、本願考案にあっては、これに限らず、図３及び図４に示すように、正面視で前方に嵩上げする防獣ネットＮ２、後方に既設の防獣柵Ｎ１を設ける構成としても良い。
図３及び図４記載の防獣ネットＮの実施例においては、上述した防獣ネットＮ（図１及び図２）と同一部分に同一符号を付して、その説明を省略する。
【００２５】
また、上述した防獣ネットＮ（図１乃至図４）においては、嵩上げする防獣ネットＮ２のネット全てをポリプロピレン系を除く、ポリオレフィン系の繊維で構成し、この防獣ネットＮ２の目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上としたが、本願考案にあっては、これに限らず、
図５乃至図８に示すように、嵩上げするネットの一部にポリプロピレン系を除く、ポリオレフィン系の繊維で構成する。つまり、防獣ネットＮ２の目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上としたネットとしても良い。
なお、図５及び図６は、正面視で前方に既設の防獣柵Ｎ１、後方に嵩上げする防獣ネットＮ２を設けたものであり、図７及び図８は、正面視で前方に嵩上げする防獣ネットＮ２、後方に既設の防獣柵Ｎ１を設けたものである。
図５乃至図８に示す４は、金属線（例えば、ワイヤー等）であり、５は筋交いの金属棒である。
なお、図５乃至図８記載の防獣ネットＮの実施例においては、上述した防獣ネットＮ（図１乃至図４）と同一部分に同一符号を付して、その説明を省略する。
【００２６】
また、上述した防獣ネットＮ（図１乃至図８）においては、防獣ネットＮ２の新設の支柱２は、地面Ｇに立設することなく、既設の支柱１を利用して既設の支柱１に新設の支柱２を接続するようにしたが、本願考案にあっては、これに限らず、
図９乃至図１２記載のように、新設の支柱２’を地面Ｇに立設するようにしても良い。
即ち、新設の支柱２’に張られる嵩上げする防獣ネットＮ２’は、既設の防獣柵Ｎ１に隣接するようにしても良い。防獣ネットＮ２’のネット全てをポリプロピレン系を除く、ポリオレフィン系の繊維で構成し、この防獣ネットＮ２’の目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上とし、
図９及び図１０は、正面視で前方に既設の防獣柵Ｎ１、後方に嵩上げする防獣ネットＮ２’を設けたものであり、図１１及び図１２は、正面視で前方に嵩上げする防獣ネットＮ２’、後方に既設の防獣柵Ｎ１を設けたものである。
なお、図９乃至図１２記載の防獣ネットＮの実施例においては、上述した防獣ネットＮ（図１乃至図８）と同一部分に同一符号を付して、その説明を省略する。図９乃至図１２に示すＨ’は、例えば、２ｍ〜３ｍである。
【００２７】
また、図１３乃至図１６記載のように、既設の防獣柵Ｎ１の高さ方向に嵩上げする部分（Ｈ”）のみ防獣ネットが張られ、正面視（図１３、図１５）で、既設の防獣柵Ｎ１の柵の上方部分と嵩上げする防獣ネットＮ２”のネットの下方部分とが略同じ位置となっている。
なお、図１３及び図１４は、正面視で前方に既設の防獣ネットＮ１、後方に嵩上げする防獣ネットＮ２”を設けたものであり、図１５及び図１６は、正面視で前方に嵩上げする防獣ネットＮ２”、後方に既設の防獣ネットＮ１を設けたものである。
なお、図１３乃至図１６記載の防獣ネットＮの実施例においては、上述した防獣ネットＮ（図１乃至図８）と同一部分に同一符号を付して、その説明を省略する。図９乃至図１２に示すｈ+Ｈ”は、例えば、２ｍ〜３ｍである。
【００２８】
図１３乃至図１６記載の防獣ネットＮによれば、新設の支柱２’に張られる嵩上げする防獣ネットＮ２”は、既設の防獣柵Ｎ１の高さ方向に嵩上げする部分のみ防獣ネットが張られているため、既設の防獣柵Ｎ１を利用して、正面視（図１３、図１５）で、既設の支柱１及び新設の支柱２’の垂直方向の全体に亘って、既設の防獣柵Ｎ１の柵と嵩上げする防獣ネットＮ２”のネットとを位置させることができ、しかも、嵩上げする防獣ネットＮ２”は、上述の実施例（図１及び図２）と同様、防獣ネットＮを構成する繊維を、ポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、更に、素材も金属入り繊維に比べ、重量が軽く新設の支柱２’への設置も容易で、コストも安く、寒冷地の防獣ネット（特に、シカ対策用）に好適である。
【００２９】
なお、上述した防獣ネットＮにおいては、既設の防獣ネットＮ１の高さ方向に嵩上げする防獣ネットＮ２、Ｎ２’、Ｎ２”としたが、本願考案にあっては、これに限らず、既設の防獣ネットＮ１がなく、図１７及び図１８記載のように、新設する場合にも同様に適用することができる。
即ち、図１７記載の防獣ネットＮは、上述した防獣ネットＮ２’と同様、ポリプロピレン系を除く、ポリオレフィン系の繊維で構成され、防獣ネットＮ２’の目合いの大きさを、２５ｍｍ〜４５ｍｍの目合いの大きさに形成し、前記繊維の引張強さが、旧ＪＩＳ  Ｌ  １０４３  合成繊維漁網用網地試験方法に規定する１節２脚法の引張強さの１／２の強さで９００Ｎ以上としている。
【００３０】
この図１７及び図１８記載の実施例の防獣ネットＮによれば、上述の実施例（図１乃至図４）と同様、防獣ネットＮを構成する繊維をポリプロピレン系を除く、ポリオレフィン系としたため、該繊維は吸水性がなく、ガラス転移温度も低いため、例えば、ポリエチレンのガラス転移温度は、−１２０℃で、低温下において脆くなることなく、しかも、素材も金属入り繊維に比べ、重量が軽く設置も容易で、コストも安く、寒冷地の防獣ネット（特に、シカ対策用）に好適である。
また、目合いの大きさが４５ｍｍを超えると、特に、シカにあっては、網の中に顎が入り奥歯によって網がかみ切られていた。
これを防ぐために、目合いの大きさの上限値を４５ｍｍとし、シカの噛みつきによる網の切断を防止することができる。
なお、図１７及び図１８に示す２’は、防獣ネットＮを支える支柱である。
【符号の説明】
【００３１】
Ｎ     防獣ネット
【図１】
0003192209.tif 000003
【図２】
0003192209.tif 000004
【図３】
0003192209.tif 000005
【図４】
0003192209.tif 000006
【図５】
0003192209.tif 000007
【図６】
0003192209.tif 000008
【図７】
0003192209.tif 000009
【図８】
0003192209.tif 000010
【図９】
0003192209.tif 000011
【図１０】
0003192209.tif 000012
【図１１】
0003192209.tif 000013
【図１２】
0003192209.tif 000014
【図１３】
0003192209.tif 000015
【図１４】
0003192209.tif 000016
【図１５】
0003192209.tif 000017
【図１６】
0003192209.tif 000018
【図１７】
0003192209.tif 000019
【図１８】
0003192209.tif 000020